【手続補正書】
【提出日】平成16年8月20日(2004.8.20)
【手続補正１】
【補正対象書類名】明細書
【補正対象項目名】全文
【補正方法】変更
【補正の内容】
【書類名】  明細書
【発明の名称】  外壁パネルの支持構造およびパネル建込み方法
【特許請求の範囲】
【請求項１】建物の外壁部分に上下左右方向に隣接配置されるパネルを、パネルの隅部同士が突き合わされるコーナー交点部に配置されるとともに、パネルと構造支持体とを連結するコーナー部パネル支持装置によって支持するようにした外壁パネルの支持構造において、
前記コーナー部パネル支持装置は、上段側に位置する左右２枚のパネルを支持する上部ファスナーと、下段側に位置する左右２枚のパネルをそれぞれ支持する左右一対の下部ファスナーとを備え、かつ上段側に位置する左右２枚のパネルの下端側隅部には前記上部ファスナーと係合可能なパネル下部金具が取り付けられるとともに、下段側に位置する左右２枚のパネルの上端側隅部には前記下部ファスナーと係合可能なパネル上部金具が取り付けられ、
前記上部ファスナーとパネル下部金具とは、係合部を中心として前記パネル下部金具と共にパネルが所定の角度範囲で傾倒可能とされ、
前記下部ファスナーは、パネル上部金具に対する係合片を有するとともに、コーナー部パネル支持装置に対して着脱自在とされ、前記パネル上部金具は前記係合片が係合される係合溝を有することを特徴とする外壁パネルの支持構造。
【請求項２】前記パネル下部金具は、室外側にパネルの隅部が嵌合されるパネル嵌入溝部が形成されるとともに、室内側に前記上部ファスナーに係合可能な係合溝を有する部材である請求項１記載の外壁パネルの支持構造。
【請求項３】前記パネル上部金具は、室外側にパネルの隅部が嵌合されるパネル嵌入溝部が形成されるとともに、室内側に下部ファスナーに係合可能な係合溝を有する部材である請求項１記載の外壁パネルの支持構造。
【請求項４】前記コーナー部パネル支持装置とともに、パネルの中間側縁部を支持する側縁部パネル支持装置を備え、該側縁部パネル支持装置は、左右に位置する２枚のパネルを支持する中間部ファスナーを備えるとともに、左右に位置するパネルの側縁部にはそれぞれ前記中間部ファスナーと係合可能なパネル側縁金具が取り付けられ、
前記中間部ファスナーは、前記パネル側縁金具に対する係合片を有するとともに、側縁部パネル支持装置に対して着脱自在とされ、前記パネル側縁金具は前記係合片が係合される係合溝を有する請求項１〜３いずれかに記載の外壁パネルの支持構造。
【請求項５】前記請求項１〜３いずれかに記載の外壁パネルの支持構造を有するカーテンウォールのパネル建込み方法であって、
パネルの上端側隅部に前記パネル上部金具を取り付けるとともに、下端側隅部に前記パネル下部金具を取り付けておく第１ステップと、
前記パネルを取付け対象壁面部に持ち込み、前記コーナー部パネル支持装置の上部ファスナーに対し、パネル下端側隅部に取付けられたパネル下部金具を係合させる第２ステップと、
前記パネルの上端側を室外側に傾倒させた状態で、下部ファスナーをパネル上部金具に係合させるとともに、パネルを垂直状態に戻した後、下部ファスナーをコーナー部パネル支持装置に締結する第３ステップと、からなることを特徴とするパネル建込み方法。
【発明の詳細な説明】
【０００１】
【発明の属する技術分野】
本発明は、ビル等の外壁部分において、板ガラスなどのパネルを直接的に支持するカーテンウォール構造に係り、詳しくはフレーム枠状のパネル支持材を有さず、パネルの４隅等を直接支持することによりパネルのみによって外壁面を構成するフレームレス工法における外壁パネルの支持構造およびパネル建込み方法に関する。
【０００２】
【従来の技術】
近年はカーテンウォール構造の多様化によって、フレーム枠状のパネル支持材を有さず、パネル（主として板ガラス）の４隅、または４隅及び側縁の一部を直接支持することによりパネルのみによって外壁面を構成するフレームレス工法が普及しつつある。フレームレス工法のパネル支持構造としては、従来より種々の構造が提案されている。
【０００３】
近時では例えば、下記特許文献１に、構造が簡単で施工及びパネルの交換が容易で、更にコスト低減を図ったパネル支持構造が提案されている。同パネルの支持構造は、図１５及び図１６に示されるように、建物構造体に設けた支持部材に固定される固定ブラケット５０と、背面に前記固定ブラケット５０に結合されるロッドを備えた上部ブラケット５１、及び２分割されて該上部ブラケット５１に着脱可能に装着される左右の下部ブラケット５２Ａ、５２Ｂからなる正面が方形のブラケットと、平面がほぼ三角形状で前面側に外側に開口し前記面板の角部に挿入される面板挿入穴５３ａ、及び背面側に内側に開口し前記ブラケット５１，５２Ａ、５２Ｂの角部に挿入されるブラケット挿入穴５３ｂが設けられた複数の面板ファスナー５３Ａ〜５３Ｄとを備えるものである。
【０００４】
同特許文献１ではパネルの建込みに当たっては、面板Ｐの各角部に面板ファスナー５３Ａ〜５３Ｄをそれぞれ装着し、面板Ｐの下部の面板ファスナー５３Ａ、５３Ｂのブラケット挿入穴５３ｂを、下段部に設けた上部ブラケット５１の角部に挿入した後、面板Ｐを前方に傾けながら上端側面板ファスナ５３Ｃ、５３Ｄのブラケット挿入穴５３ａに、それぞれ下部ブラケット５２Ａ、５２Ｂを挿入した後、面板Ｐをほぼ垂直に戻して、下部ブラケット５２Ａ、５２Ｂを上部ブラケット５１にボルトによって結合し固定を図ることが記載されている。
【０００５】
【特許文献１】
特開２００１−２２０８４８号公報
【０００６】
【発明が解決しようとする課題】
しかしながら、前記特許文献１の支持構造では、図１６に示されるように、実際には面板Ｐの下端隅部に設けた面板ファスナー５３Ａ、５３Ｂを上部ブラケット５１に嵌合させた状態で、面板Ｐを前方に傾倒可能な構造とはなっておらず、仮に面板Ｐを無理に傾倒させると、面板Ｐや面板ファスナー５３Ａ、５３Ｂに過大な曲げ応力が生じ、破損の危険性があるなどの問題があった。また、面板Ｐを容易に傾倒可能な構造としなければ、一部の面板が破損した場合、面板Ｐの交換を容易に行うことができないなどの問題もある。
【０００７】
そこで本発明の主たる課題は、パネルの４隅等を直接支持することによりパネルのみによって外壁面を構成するフレームレス工法において、特に構造が簡単でコスト低減が図れるとともに、パネルの取付け（施工）及び取り外し（交換）が容易に行えるようにした外壁パネルの支持構造およびパネル建込み方法を提供することにある。
【０００８】
【課題を解決するための手段】
前記課題を解決するために請求項１に係る本発明として、建物の外壁部分に上下左右方向に隣接配置されるパネルを、パネルの隅部同士が突き合わされるコーナー交点部に配置されるとともに、パネルと構造支持体とを連結するコーナー部パネル支持装置によって支持するようにした外壁パネルの支持構造において、
前記コーナー部パネル支持装置は、上段側に位置する左右２枚のパネルを支持する上部ファスナーと、下段側に位置する左右２枚のパネルをそれぞれ支持する左右一対の下部ファスナーとを備え、かつ上段側に位置する左右２枚のパネルの下端側隅部には前記上部ファスナーと係合可能なパネル下部金具が取り付けられるとともに、下段側に位置する左右２枚のパネルの上端側隅部には前記下部ファスナーと係合可能なパネル上部金具が取り付けられ、
前記上部ファスナーとパネル下部金具とは、係合部を中心として前記パネル下部金具と共にパネルが所定の角度範囲で傾倒可能とされ、
前記下部ファスナーは、パネル上部金具に対する係合片を有するとともに、コーナー部パネル支持装置に対して着脱自在とされ、前記パネル上部金具は前記係合片が係合される係合溝を有することを特徴とする外壁パネルの支持構造が提供される。
【０００９】
請求項２に係る本発明として、前記パネル下部金具は、室外側にパネルの隅部が嵌合されるパネル嵌入溝部が形成されるとともに、室内側に前記上部ファスナーに係合可能な係合溝を有する部材である請求項１記載の外壁パネルの支持構造が提供される。
【００１０】
請求項３に係る本発明として、前記パネル上部金具は、室外側にパネルの隅部が嵌合されるパネル嵌入溝部が形成されるとともに、室内側に下部ファスナーに係合可能な係合溝を有する部材である請求項１記載の外壁パネルの支持構造が提供される。
【００１１】
請求項４に係る本発明として、前記コーナー部パネル支持装置とともに、パネルの中間側縁部を支持する側縁部パネル支持装置を備え、該側縁部パネル支持装置は、左右に位置する２枚のパネルを支持する中間部ファスナーを備えるとともに、左右に位置するパネルの側縁部にはそれぞれ前記中間部ファスナーと係合可能なパネル側縁金具が取り付けられ、
前記中間部ファスナーは、前記パネル側縁金具に対する係合片を有するとともに、側縁部パネル支持装置に対して着脱自在とされ、前記パネル側縁金具は前記係合片が係合される係合溝を有する請求項１〜３いずれかに記載の外壁パネルの支持構造が提供される。
【００１２】
請求項５に係る本発明として、前記請求項１〜３いずれかに記載の外壁パネルの支持構造を有するカーテンウォールのパネル建込み方法であって、
パネルの上端側隅部に前記パネル上部金具を取り付けるとともに、下端側隅部に前記パネル下部金具を取り付けておく第１ステップと、
前記パネルを取付け対象壁面部に持ち込み、前記コーナー部パネル支持装置の上部ファスナーに対し、パネル下端側隅部に取付けられたパネル下部金具を係合させる第２ステップと、
前記パネルの上端側を室外側に傾倒させた状態で、下部ファスナーをパネル上部金具に係合させるとともに、パネルを垂直状態に戻した後、下部ファスナーをコーナー部パネル支持装置に締結する第３ステップと、からなることを特徴とするパネル建込み方法が提供される。
【００１３】
【発明の実施の形態】
以下、本発明の実施の形態について図面を参照しながら詳述する。
（パネルの支持構造）
図１は本発明に係るカーテンウォールの要部外観図、図２は図１のII−II線矢視図、図３は図１のIII−III線矢視図である。
【００１４】
図１に示されるように、本カーテンウォール構造１は、ビル等の建物の外壁部において、上下左右方向に隣接配置される板ガラス等のパネルＰ、Ｐ…が、フレーム枠状のパネル支持材を用いることなく、各パネルＰ、Ｐ…の隅部が突き合うコーナー交点部および中間側縁部（２点）に配設されたパネル支持装置３…，６…によって支持されることにより、実質的にパネルＰ、Ｐ…のみによって外壁を構成するようにしたものである。
【００１５】
以下、具体的に前記カーテンウォール構造１について詳述すると、
図２及び図３に示されるように、各床躯体Ｆの室外側端面には、パネル支持用ブラケット金物２、２…（以下、単に支持ブラケットという。）が固定されており、この支持ブラケット２に設けられたコーナー部パネル支持装置３、３…によってパネルＰ、Ｐ…の各隅部を支持するとともに、床躯体Ｆ、Ｆ間に方立部材４、４…を建て込み、この方立部材４から室外方向に突出して設けられたストラット材５、５…の先端に側縁部パネル支持装置６、６…を設け、パネルＰの中間側縁（２点）を支持するようになっている。なお、前記ストラット材５，５…は自重方向に配置されたロッド材７によって吊持されている。
【００１６】
前記コーナー部パネル支持装置３は、詳細には図４に示されるように、支持ブラケット２に対してボルト・ナット１７，１８によって締結される補助ブラケット１０と、この補助ブラケット１０の上部側位置にボルト・ナット１９，２０によって締結される上部ファスナー１１と、前記補助ブラケット１０の下部側位置にボルト・ナット２１，２２によって締結される左右一対の下部ファスナー１４Ａ、１４Ｂと、パネルＰの下端側隅部に夫々設けられるパネル下部金具１５Ａ、１５Ｂと、パネルＰの上端側隅部に夫々設けられるパネル上部金具１６Ａ、１６Ｂとからなる。
【００１７】
前記補助ブラケット１０は、断面方形状とされるとともに、鉛直方向にロッド材７の挿通孔部１０ａを有するファスナー締結部１０Ａと、このファスナー締結部１０Ａの室内側面から室内方向に向けて延在するとともに、室内外方向に長い長孔１０ｂが形成された２枚のブラケット締結板部１０Ｂとからなり、前記支持ブラケット２を前記ブラケット締結板部１０Ｂ、１０Ｂの間に挿入した状態でボルト・ナット１７，１８によって締結される。補助ブラケット１０は、前記長孔１０ｂによって室内外方向に位置調整可能となっており、各パネルＰ、Ｐ…が図示例では同一鉛直面に位置するように調整される。また、ロッド材７は前記挿入孔１０ａを挿通させた状態でナット２３を上下面に締結することによって、ロッド材７に生じる引張荷重が各支持ブラケット２によって支持されるようになっている。
【００１８】
前記ファスナー締結部１０Ａの側面には上下に２つのボルト孔１０ｃ、１０ｄが形成され、上段側ボルト孔１０ｃが上部ファスナー１１の締結用ボルト孔として使用され、下段側ボルト孔１０ｄが下部ファスナー１４Ａ、１４Ｂの締結用ボルト孔として使用されるようになっている。
【００１９】
次いで、前記上部ファスナー１１は、ファスナー締結部１０Ａの上部側に締結されるベース部材１２と、パネルの下端側隅部に取り付けられたパネル下部金具１５Ａ、１５Ｂを係合支持するためのファスナー金具本体１３とからなる。前記ベース部材１２は、水平方向に間をおいて２枚の締結フランジ１２ａ、１２ｂを備え、前記補助ブラケット１０にボルト・ナット１９，２０により締結される。前記ファスナー金具本体１３は、上部側パネルＰ、Ｐを共通的に支持する部材で、背面側に形成されたリップ状溝内に頭部が嵌合されたボルト２４により前記ベース部材１２にネジ止めされる。その断面形状は、図５に示されるように、断面Ｕ字状の溝を形成しているＬ字屈曲片１３ａ（本発明の自重受け支持片）の先端部（係合面）が略弧状形状とされるとともに、後述するように前記Ｌ字屈曲片１３ａの先端が当接される、パネル下部金具１５Ａ、１５Ｂの係合溝１５ｄの底面が略弧状形状を成し、パネル下部金具１５Ａ、１５Ｂと共にパネルＰが下端側を回転中心として所定の角度範囲、具体的には数度の角度範囲で傾倒可能となっている。
【００２０】
前記下部ファスナー１４Ａ、１４Ｂは、パネル境界線（縦目地）を境に対称形状を成す左右一対の部材で、それぞれ水平方向に向けた係合片１４ｂを有する断面形状を成している。また、基端部にボルト孔１４ａを有し、前記補助ブラケット１０の下部側にボルト・ナット２１，２２によって着脱自在に取付けできるようになっている。
【００２１】
前記パネル下部金具１５Ａ、１５Ｂは、室外側にパネルＰの隅部が嵌合されるパネル嵌入溝部１５ｃが形成されるとともに、室内側に前記上部ファスナー１１に対して係合可能なように下方側に断面Ｕ字状の係合溝１５ｄを臨ませた部材であり、前記Ｕ字状係合溝１５ｄの底面部は前記Ｌ字屈曲片１３ａの先端形状と同様に、略弧状に形成されている。なお、前記パネル嵌入溝１５ｃ内にはパネルＰを取り囲むように定形ゴム材２５が内装され、パネルＰの緩衝材としての機能の他、パネルＰを一旦差し込んだならばパネル下部金具１５Ａ、１５Ｂが容易に抜脱しないようになっている。
【００２２】
一方、パネル上部金具１６Ａ、１６Ｂは、室外側にパネルＰの隅部が嵌合されるパネル嵌入溝部１６ｃが形成されるとともに、室内側に下部ファスナー１４Ａ、１４Ｂが係止されるＵ字状の係合溝１６ｄを有する部材であり、前記係合溝１６ｄには、前記下部ファスナー１４Ａ、１４Ｂの係合片１４ｂが横方向から挿入されパネルＰが支持されるようになっている。なお、前記パネル嵌入溝１６ｃ内にはパネルＰを取り囲むように定形ゴム材２５が内装され、パネルＰの緩衝材として機能するとともに、パネルＰを一旦差し込んだならばパネル上部金具１６Ａ、１６Ｂが容易に抜脱しないように保持するようになっている。
【００２３】
次に、パネルＰの中間側縁部を支持する側縁部パネル支持装置６について図７〜図９に参照しながら詳述する。
【００２４】
前記ストラット材５の先端に取付けられる側縁部パネル支持装置６は、詳細には図７に示されるように、ストラット材５に対してボルト・ナット３３，３４によって取り付けられる補助ブラケット３０と、この補助ブラケット３０にボルト・ナット３５，３６によって締結される中間部ファスナー３１Ａ、３１Ｂと、パネルＰの側縁部に設けられるパネル側縁金具３２Ａ、３２Ｂとからなる。
【００２５】
前記補助ブラケット３０は、断面方形状とされ、鉛直方向にロッド材７の挿通孔部３０ａを有するとともに、側面に上下２つのボルト孔３０ｃが形成されたファスナー締結部３０Ａと、このファスナー締結部３０Ａの室内側面から室内方向に向けて延在するとともに、ボルト孔３０ｂが形成されたブラケット締結板部３０Ｂとからなり、前記ストラット材５の先端に前記ブラケット締結板部３０Ｂを挿入した状態でボルト・ナット３３，３４によって締結される。また、ロッド材７は前記挿入孔３０ａを挿通させた状態でナット２３を上下面に締結することによってストラット材５が水平方向に保持されるようになっている。なお、前記ストラット材５は両端がピン連結とされ、軸力のみを方立部材４に伝達する構造となっている。
【００２６】
前記中間部ファスナー３１Ａ、３１Ｂは、パネル境界線を境に対称形状を成す左右一対の部材であり、水平方向に向けた係合片３１ｂを有する断面形状を成している。また、基端部にボルト孔３１ａを有し、前記補助ブラケット３０にボルト・ナット３５，３６によって着脱自在に取付けできるようになっている。
【００２７】
前記パネル側縁金具３２Ａ、３２Ｂは、室外側にパネルＰの側縁部が嵌合されるパネル嵌入溝部３２ｃが形成されるとともに、室内側に前記中間部ファスナー３１Ａ、３１Ｂが係止されるＵ字状の係合溝３２ｄを有する部材であり、前記Ｕ字状係合溝３２ｄには、前記中間部ファスナー３１Ａ、３１Ｂの係合片３１ｂが横方向から挿入されパネルＰが支持されるようになっている。なお、前記パネル嵌入溝３２ｃ内にはパネルＰを取り囲むように定形ゴム材２５が内装され、パネルＰの緩衝材としての機能の他、パネルＰを一旦差し込んだならば、パネル側縁金具３２Ａ、３２Ｂが容易に抜脱しないようになっている。
【００２８】
（パネルの建込み方法）
次に、前記パネル支持構造を有するカーテンウォールのパネル建込み方法について述べる。
【００２９】
図１０に示されるように、パネルＰ、Ｐ…の建込みに先立って、コーナー部パネル支持装置３，３…部位においては、各床躯体Ｆの室外側端面に支持ブラケット２、２…が固定されるとともに、この支持ブラケット２，２…に補助ブラケット１０が固定される。また、床躯体Ｆ、Ｆ間に方立部材４、４…が建て込まれ、側縁部パネル支持装置６、６…部位において、方立部材４から室外方向に突出してストラット材５、５…を設けるとともに、ロッド材７により前記ストラット材５，５…が水平方向を向くように支持されるとともに、このストラット材５の先端部に補助ブラケット３０が固定される。
【００３０】
パネルＰの建込みは、予めパネルＰの上端側隅部に前記パネル上部金具１６Ａ、１６Ｂを取り付けるとともに、下端側隅部に前記パネル下部金具１５Ａ、１５Ｂを取り付け、更にパネルＰの中間側縁部にパネル側縁金具３２Ａ、３２Ｂを取り付けておく。また、前記コーナー部パネル支持装置３において、補助ブラケット１０の上部側に上部ファスナー１１を取り付けておく。
【００３１】
前記パネルＰをクレーン（図示せず）によって、取付け対象壁面部に持ち込んだならば、図１１に示されるように、前記コーナー部パネル支持装置３の上部ファスナー１１に対し、パネル下端側隅部に取付けられたパネル下部金具１５Ａ、１５Ｂを係合させるようにしながら、パネル自重をコーナー部パネル支持装置３に預ける。
【００３２】
次いで、図１２に示されるように、前記パネルＰの上端側を室外側に若干傾倒させた状態で、下部ファスナー１４Ａ、１４Ｂの係合片１４ｂをパネル上部金具１６Ａ、１６Ｂに係合させるとともに、パネルＰを垂直状態に戻し、下部ファスナー１４Ａ、１４Ｂをコーナー部パネル支持装置３の補助ブラケット１０に締結する。パネルＰの建込みを終えたならば、図１３に示されるように、上段側パネルの設置のために、上部ファスナー１１を補助ブラケット１０の上部側に取り付けておく。
【００３３】
一方、側縁部パネル支持装置６部位では、中間部ファスナー３１Ａ、３１Ｂの係合片３１ｂをパネル側縁金具３２Ａ、３２Ｂに係合させるとともに、パネルＰを垂直状態に戻した後、中間部ファスナー３１Ａ、３１Ｂを側縁部パネル支持装置６の補助ブラケット３０に締結する。
【００３４】
以上の工程を、基本的には建物の下側から上方側に向けて順に繰り返し、パネルＰを外壁部に建て込むようにする。
【００３５】
ところで、本発明に係るカーテンウォール構造１においては、上部ファスナー１１にパネルＰの自重を預け、かつパネルＰの上端側では、パネル上部金具１６Ａ、１６Ｂと下部ファスナー１４Ａ、１４Ｂとの間で鉛直方向の変位を許容するように間隙Ｍ１が形成され（図５参照）、パネル側縁部ではパネル側縁金具３２Ａ、３２Ｂと中間部ファスナー３１Ａ、３１Ｂとの間に水平方向の変位を許容する間隙Ｍ２が形成されている（図９参照）。従って、図１４に示されるように、パネルＰの層間変位に追従可能となり、地震時にパネルＰに過大な応力が発生することがなく、パネル破損を未然に回避できる構造となっている。
【００３６】
（その他の形態例）
(1)上記形態例では、上部ファスナー１１側に自重受け支持片たるＬ字屈曲片１３ａを形成し、パネル下部金具１５Ａ、１５Ｂ側に前記Ｌ字屈曲片１３ａが係合する係合溝１５ｄを形成するようにしたが、逆に前記パネル下部金具１５Ａ、１５Ｂ側に自重受け支持片を形成し、上部ファスナー１１側に係合溝を形成するようにしてもよい。
【００３７】
(2)上記形態例ではパネルの建込み方法について説明したが、一部のパネルＰが破損した場合の交換については、逆の手順によって破損パネルを撤去することができる。すなわち、パネルＰが下端側を回転中心として傾倒可能な構造となっているため、下部ファスナー１４Ａ、１４Ｂを取り外したならば、パネルＰの上端側を室外方向に傾け、そのまま上方に引き抜くことにより撤去が可能である。
【００３８】
【発明の効果】
以上詳説のとおり本発明によれば、パネルの４隅等を直接支持することによりパネルのみによって外壁面を構成するフレームレス工法において、特に構造が簡単でコスト低減が図れるとともに、パネルの取付け（施工）及び取り外し（交換）が容易に行えるようになる。
【図面の簡単な説明】
【図１】
本発明に係るカーテンウォールの要部外観図である。
【図２】
図１のII−II線矢視図（縦断面図）である。
【図３】
図１のIII−III線矢視図（水平横断面図）である。
【図４】
コーナー部パネル支持装置３の分解図である。
【図５】
コーナー部パネル支持装置３の側面図である。
【図６】
コーナー部パネル支持装置３の平面図である。
【図７】
側縁部パネル支持装置６の分解図である。
【図８】
側縁部パネル支持装置６の側面図である。
【図９】
側縁部パネル支持装置６の平面図である。
【図１０】
パネルの建込み要領図である。
【図１１】
パネルの建込み手順を示す図（その１）である。
【図１２】
パネルの建込み手順を示す図（その２）である。
【図１３】
パネルの建込み手順を示す図（その３）である。
【図１４】
層間変位に対する挙動図である。
【図１５】
従来のパネル支持装置を示す斜視図である。
【図１６】
その側面図である。
【符号の説明】
１…カーテンウォール構造、２…支持ブラケット、３…コーナー部パネル支持装置、４…方立部材、５…ストラット材、６…側縁部パネル支持装置、１０・３０…補助ブラケット、１１…上部ファスナー、１４Ａ・１４Ｂ…下部ファスナー、１５Ａ・１５Ｂ…パネル下部金具、１６Ａ・１６Ｂ…パネル上部金具、３１Ａ・３１Ｂ…中間部ファスナー、３２Ａ・３２Ｂ…パネル側縁金具、Ｐ…パネル